(57)【特許請求の範囲】
【請求項１】
周囲構造体のエレベータシステム内で行先呼びを発するように構成されている行先管理部を含み、行先データを入力する入力手段および前記エレベータシステムの割当てエレベータを示す出力手段を有し、さらに前記エレベータシステム内で通信を行う無線通信手段を有するスマートウォッチであって、
該スマートウォッチは、前記周囲構造体の地図データを有する記憶部を含み前記周囲構造体内で該スマートウォッチの場所を検出する位置検出手段を有するナビゲーションシステムと、前記出力手段に接続されたナビゲーション出力部とを含み、前記ナビゲーションシステムの位置検出手段はさらに気圧計を含み、
前記ナビゲーションシステムは、前記行先管理部と連動して、前記位置検出手段のデータに基づいて行先呼びを発し、および／または発せられた行先呼びに基づいてナビゲーション案内データを提供することを特徴とするスマートウォッチ。
【請求項２】
請求項１に記載のスマートウォッチにおいて、前記ナビゲーションシステムは、現在または既定の位置を前記周囲構造体の選択可能な行先として入力する記憶部を含むことを特徴とするスマートウォッチ。
【請求項３】
請求項１または２に記載のスマートウォッチにおいて、前記ナビゲーションシステムは、前記周囲構造体の地図データをいくつかの事前選択された行先とともに有する記憶部を含み、前記出力手段は複数の行先を出力するように構成され、前記入力手段は前記複数の行先のうち１つを選択できるように構成されていることを特徴とするスマートウォッチ。
【請求項４】
請求項２または３に記載のスマートウォッチにおいて、該スマートウォッチは、行先呼びを発する際に前記行先を前記行先管理部に送るように構成されていることを特徴とするスマートウォッチ。
【請求項５】
請求項１ないし４のいずれかに記載のスマートウォッチにおいて、該スマートウォッチ、特に前記ナビゲーションシステムの位置検出手段は、前記周囲構造体に設置されているビーコンと通信するように構成されている近距離送信部を含むか、または該近距離送信部と接続されていることを特徴とするスマートウォッチ。
【請求項６】
周囲構造体のエレベータシステム内で行先呼びを発するように構成されている行先管理部を含み、行先データを入力する入力手段および前記エレベータシステムの割当てエレベータを示す出力手段を有し、さらに前記エレベータシステム内で通信を行う無線通信手段を有するスマートウォッチであって、
該スマートウォッチは、前記周囲構造体の地図データを有する記憶部を含み前記周囲構造体内で該スマートウォッチの場所を検出する位置検出手段を有するナビゲーションシステムと、前記出力手段に接続されたナビゲーション出力部とを含み、
前記ナビゲーションシステムは、前記行先管理部と連動して、前記位置検出手段のデータに基づいて行先呼びを発し、および／または発せられた行先呼びに基づいてナビゲーション案内データを提供し、
前記位置検出手段はGPSなどの静止衛星からの信号の受信部を含むことを特徴とするスマートウォッチ。
【請求項７】
請求項１ないし６のいずれかに記載のスマートウォッチにおいて、前記ナビゲーションシステムの位置検出手段は加速度計を含むことを特徴とするスマートウォッチ。
【請求項８】
請求項１ないし７のいずれかに記載のスマートウォッチにおいて、前記ナビゲーションシステムの位置検出手段はジャイロメータを含むことを特徴とするスマートウォッチ。
【請求項９】
周囲構造体のエレベータシステム内で行先呼びを発するように構成されている行先管理部を含み、行先データを入力する入力手段および前記エレベータシステムの割当てエレベータを示す出力手段を有し、さらに前記エレベータシステム内で通信を行う無線通信手段を有するスマートウォッチであって、
該スマートウォッチは、前記周囲構造体の地図データを有する記憶部を含み前記周囲構造体内で該スマートウォッチの場所を検出する位置検出手段を有するナビゲーションシステムと、前記出力手段に接続されたナビゲーション出力部とを含み、
前記ナビゲーションシステムは、前記行先管理部と連動して、前記位置検出手段のデータに基づいて行先呼びを発し、および／または発せられた行先呼びに基づいてナビゲーション案内データを提供し、
該スマートウォッチは電話通信網への送信部を含み、前記位置検出手段は前記電話通信網のアンテナ圏内で該スマートウォッチの位置から位置検出をする手段を含むことを特徴とするスマートウォッチ。
【請求項１０】
請求項２または３に記載のスマートウォッチにおいて、前記ナビゲーションシステムは、前記出力手段に接続された演算部を含み、前記行先に対する距離および／または方向を利用者に示すことを特徴とするスマートウォッチ。
【請求項１１】
周囲構造体のエレベータおよび案内システムにおいて、少なくとも１基のエレベータを有するエレベータおよび案内システムと、前記エレベータに対する行先呼び制御部を有するエレベータ制御部と、行先操作パネルとして、および前記周囲構造体のエレベータおよび案内システムの案内手段として働く請求項１ないし10のいずれかに記載の少なくとも１つのスマートウォッチとを含むことを特徴とするエレベータおよび案内システム。
【請求項１２】
請求項11に記載のエレベータおよび案内システムにおいて、該エレベータおよび案内システムは、前記スマートウォッチの個別のIDに基づいて、前記スマートウォッチの出力手段を介して表示される利用者個別の行先データまたは経路データの記憶部を含むことを特徴とするシステム。
【請求項１３】
請求項12に記載のエレベータおよび案内システムにおいて、前記記憶部は前記スマートウォッチの内部に設置されていることを特徴とするシステム。
【請求項１４】
請求項11ないし13のいずれかに記載のエレベータおよび案内システムにおいて、該システムは、前記周囲構造体内に配置されているビーコンを含み、該ビーコンは、前記スマートウォッチと通信する例えばBluetooth（登録商標）などの近距離無線通信システムを含むことを特徴とするシステム。
【請求項１５】
請求項14に記載のエレベータおよび案内システムにおいて、前記ビーコンは位置データを前記スマートウォッチに送り、そのナビゲーションシステムの現在位置データを更新することを特徴とするシステム。
【請求項１６】
請求項14または15に記載のエレベータおよび案内システムにおいて、前記ビーコンの少なくとも一部は該エレベータおよび案内システムに接続され、行先呼びデータを送信するように構成されていることを特徴とするシステム。
【請求項１７】
請求項11ないし16のいずれかに記載のエレベータおよび案内システムにおいて、前記スマートウォッチはインターネットサーバを介して該エレベータおよび案内システムと通信することを特徴とするシステム。
【請求項１８】
請求項17に記載のエレベータおよび案内システムにおいて、前記スマートウォッチは前記インターネットサーバと通信するWLAN送信部および／または電話通信モジュールを含み、前記エレベータ制御部はLANまたはWLANを介して前記インターネットサーバと接続されることを特徴とするシステム。
【請求項１９】
請求項11ないし18のいずれかに記載のエレベータおよび案内システムにおいて、前記スマートウォッチはスマートフォンと無線通信するように構成され、これによって請求項１ないし10のいずれかに記載のスマートウォッチの機能は前記スマートウォッチと前記スマートフォンの間で共有されることを特徴とするシステム。
【請求項２０】
請求項19に記載のエレベータおよび案内システムにおいて、前記スマートウォッチは前記入力手段および前記出力手段を一体化して構成された入出力手段を含み、前記スマートフォンは前記行先管理部および／または前記ナビゲーションシステムを含むことを特徴とするシステム。
【請求項２１】
少なくとも１のエレベータおよび案内システムを含む周囲構造体内で来場者を案内する方法であって、該方法では、前記エレベータおよび案内システムの行先操作パネルとして働くスマートウォッチの行先管理部から前記スマートウォッチのナビゲーションシステムに行先データを入力し、該ナビゲーションシステムは前記スマートウォッチおよび位置検出手段を介して発せられた行先呼びの行先データを用いて前記来場者を来場者自身の行先呼びの行先階に案内し、および／または、前記位置検出手段によって検出されたときに前記周囲構造体内にある前記スマートウォッチの現在位置データに基づいて自動的に行先呼びを促し、もしくは発し、前記位置検出手段はさらに気圧計を含むことを特徴とする方法。
【請求項２２】
請求項21に記載の方法において、実行中の呼びの行先データは、前記行先管理部から前記ナビゲーションシステムに送られ、スマートウォッチの出力手段を介して前記スマートウォッチの利用者にナビゲーション案内データを出力することを特徴とする方法。
【請求項２３】
請求項21または22に記載の方法において、前記スマートウォッチは、その出力手段を介して前記周囲構造体内で選択可能な行先の目録を表示し、前記スマートウォッチの入力手段を介して前記選択を行うことを特徴とする方法。
【請求項２４】
請求項21ないし23のいずれかに記載の方法において、前記スマートウォッチをスマートフォンとともに用いることのみによって、前記スマートウォッチを前記スマートフォンと無線通信するように構成し、請求項１ないし10のいずれかに記載のスマートウォッチの機能を前記スマートウォッチと前記スマートフォンの間で共有することを特徴とする方法。
【発明の詳細な説明】
【発明の背景】
【０００１】
本発明は、周囲構造体のエレベータシステム内で行先呼びを発するように構成されている行先管理部を有するスマートウォッチに関するものである。スマートウォッチは、行先データを入力する入力手段および上述のエレベータシステムの割当てエレベータを示す出力手段を有する。スマートウォッチはさらに、エレベータシステムと通信する通信手段を有する。このようなスマートウォッチならびにエレベータおよび案内システムは、米国特許第6,223,160号で知られている。
【発明の概要】
【０００２】
本発明は、利用者の位置確認を支援し、不案内な周囲構造体にあるエレベータシステムの利用効率を上げるスマートウォッチならびにエレベータおよび案内システムを提供することを目的とする。
【０００３】
本発明の目的は、請求項１に記載のスマートウォッチならびに請求項12に記載のエレベータおよび案内システムによって達成される。さらに、本目的は請求項22に記載の方法によって達成される。本発明の好適な実施例は、対応する従属請求項の対象である。本発明のさらなる実施例は、明細書および図面に記載されている。
【０００４】
本発明によれば、スマートウォッチは、周囲構造体の地図データを有する記憶部を含み周囲構造体内でスマートウォッチの場所を検出する位置検出手段を有するナビゲーションシステムと、スマートウォッチの出力手段に接続されたナビゲーション出力部とを含む。スマートウォッチはさらに、周囲構造体のエレベータおよび案内システムとの通信を確立する通信手段を有する。
【０００５】
スマートウォッチのナビゲーションシステムは、スマートウォッチの行先管理部と接続され、行先呼びの行先データを交換し合い、および／またはナビゲーションシステムの位置データを交換し合う。スマートウォッチの行先管理部は、スマートウォッチのナビゲーションシステムと直接的に、またはスマートウォッチ内のスマートウォッチ制御部もしくは他のモジュールを介して接続される。このような手段を介して、スマートウォッチは、位置検出手段の信号に基づいて行先呼びを発することができ、および／または発せられた行先呼びに基づいてナビゲーション案内データを提供することができる。このような行先呼びは、好適にはスマートウォッチの入力手段によって発せられるが、エレベータシステムの行先操作パネルを介して発せられてもよい。
【０００６】
したがって、スマートウォッチの‐一般的な‐出力手段を用いて、行先管理部から行先データ、例えば行先階や割当てエレベータを示すまたは表示することができる。なおかつ、またはさもなくば、出力手段を用いて、ナビゲーションシステムからのナビゲーション案内データを、スマートウォッチの表示部を介しておよび／またはスピーカを介して聴覚的に利用者に示すことができる。
【０００７】
上述の接続を介して、行先管理部は、ナビゲーションシステムの位置検出手段の信号を用いて行先呼びを発し、またはスマートウォッチの入力部を介して入力される行先呼びの発信を促すことができる。そのため、来場者がエレベータシステムのロビーの近くに来たら、スマートウォッチを持っている利用者に、例えば、個別の利用者（スマートウォッチのID）に対し予めプログラムされた行先または手動で選択され得る行先のいずれかである行先、例を挙げると、所望の行先階または特定の周囲構造体に対して用意される事前選択された行先の一覧から行先を選択することを促してもよい。いずれの場合でも、スマートウォッチの行先管理部とナビゲーションシステムの間には直接的な相互作動があり、これによって未知の周囲建造物内でも来場者すなわち利用者の方向認識が促される。
【０００８】
対応する位置管理部は、例えば、周囲構造体の近くに来るとスマートウォッチのアプリケーションまたはプログラム（アプリ）によって起動する。例えば、ビーコンなど周囲構造体の送信部と無線近距離送信部などスマートウォッチの通信手段の間で相互に作動することによって起動する。
【０００９】
好適には、相互作動によって行先管理部のアプリを立ち上げる。アプリの立上げは、WLANの相互作動によって、またはインターネットなどの公衆通信網と接続されたサーバを用いてスマートウォッチをエレベータシステムと通信させる電話通信システムを介して始動してもよい。さらにナビゲーションシステムのアプリを立ち上げてもよい。あるいは、ナビゲーションシステムのアプリがスマートウォッチ上で継続的に起動し、これによって利用者が周囲構造体に入るときにアプリを立ち上げる必要をなくしてもよい。
【００１０】
好適には、ナビゲーションシステムは現在または既定の位置を周囲構造体の選択可能な行先として入力するよう構成されている記憶部を含む。したがって、行先管理部およびナビゲーションシステムの共有のデータを、スマートウォッチの利用者にとっての適当な行先に加えることができる。好ましくは、スマートウォッチは、好適には相関性のある行先とともにエレベータシステムに記憶されているのが好ましい固有のIDを有する。このような手段によって、対応する利用者の行先をスマートウォッチの記憶部に記憶する必要なくエレベータシステムに記憶してもよく、対応する利用者が周囲構造体に入るときにハンドシェイクを行ってスマートウォッチに送ることができる。スマートウォッチと周囲構造体、例えば居住もしくはオフィスビルディング、モール、鉄道駅または空港の間における通信を、WLANまたは電話網を介するBluetoothなどの近距離通信システムを用いて提供してもよい。エレベータシステムとスマートウォッチの通信は、エレベータシステムのサーバを介して行ってもよく、このようなサーバは、周囲構造体内で用意されるか、またはエレベータシステムのエレベータ制御部にLANなどを介して接続されたエレベータシステムの遠隔インターネットサーバである。スマートウォッチは、周囲構造体内に配置されたビーコンなどのエレベータおよび案内システムの通信装置との通信を確立する対応の通信手段、例えば近距離通信送信部、電話通信モジュールおよび／またはWLAN送信部を含む。
【００１１】
発明の好適な実施例において、ナビゲーションシステムは周囲構造体の地図データをいくつかの事前選択された行先とともに有する記憶部を含み、出力手段は複数の行先を出力するように構成されている。行先はスマートウォッチの入力手段を用いて選択できる。このような手段を介して、スマートウォッチの出力手段および入力手段によって支援された利用者は、周囲構造体のさまざまな異なる個々の行先を簡単に選択することができる。したがって、スマートウォッチの入力手段および出力手段は、行先呼びをエレベータシステムに発するエレベータシステムの行先操作パネルとして用いられるとともに、割当てエレベータはスマートウォッチの表示部などの出力手段を介して示される。スマートウォッチの入出力手段を、それ自体公知の手法で入力機能および出力機能を一体化したタッチスクリーンを用いて実現してもよい。もちろん、スマートウォッチのマイクロフォンおよびスピーカを入出力手段として用いてもよく、これによって人は、行先呼びに関する音声指示を与えることができ、または、例えば視覚障害者にとって不可欠な来場者用音声信号として出力される割り当てられた入場者データもしくはナビゲーション案内データを受け取ることができる。
【００１２】
位置データは随意に高度または階のデータを含んでいてもよい。この場合、スマートウォッチは利用者の現在位置の高度を知らせる気圧計を含むことが好ましい。このような高度を、エレベータおよび案内システム、特にスマートウォッチのナビゲーションシステムによって階のデータに変換してもよい。
【００１３】
いずれにせよ、位置データの生成は、一方ではスマートウォッチ自体の、および／または他方ではいくつかの位置センサからの、異なる位置データ源の使用によって可能となる。位置センサは、周囲構造体内にあるビーコンの少なくとも一部と接続して設置されてもよく、もちろん、スマートウォッチと相互作動してもよい。
【００１４】
好適な実施例において、スマートウォッチは、スマートウォッチの機能のうち少なくとも一部、例えばスマートウォッチの制御部および／またはハードウェアやソフトウェアのコンポーネントを含む利用者のスマートフォンと無線通信するように構成されている。したがって、スマートフォンは行先管理部および／またはナビゲーションシステムを含んでいてもよく、スマートウォッチは上述のスマートウォッチの入出力機能を含んでいてもよい。最低限、このようにスマートフォンと接続して用いられる簡易型スマートウォッチは、ユーザインタフェース（入出力手段）のみを含む。実質的には、本実施例において本発明により把握される「スマートウォッチ」とは、利用者の手首に付けられる簡易型スマートウォッチおよび利用者の携帯するスマートフォンの結合体である。
【００１５】
発明のシステムおよび方法に係る好適な実施例において、位置データを用いて、タッチスクリーンなどスマートウォッチの出力手段上に表示され事前にプログラムされた一連の行先のうちの１つを選択してもよい。このような特徴により、周囲構造体の具体的な行先および／または利用者もしくは利用者群の具体的な行先を設定することができる。さらには、かかる特徴を用いて、許可されたアクセス領域に対するアクセス制御を実現することもできる。例えばGPSに基づいて、エレベータおよび案内システムは、利用者が周囲構造体（ビルディング）のどの入口に立ち入っているかを認識し、その入口および周囲構造体（および利用者）に特有の、事前にプログラムされた行先を選ぶ。
【００１６】
好適には、スマートウォッチは、前もって指定され事前に選択された行先または手動で入力された行先の中から１つを、行先呼びを発する際に行先管理部に送るように構成されている。このようにして、スマートウォッチのナビゲーションシステムと行先管理部の間で円滑に相互作動をすることができる。
【００１７】
好適には、スマートウォッチのナビゲーションシステムの位置検出手段は、周囲構造体に設置されているビーコンと通信するように構成されている近距離送信部を含む。このような手段により、電話通信やGPS接続を必要とせずに周囲構造体内にナビゲーションシステムを確立することができる。したがって、このような公共のナビゲーション支援システムとは独立して、周囲構造体内のナビゲーションを行うことができる。ビーコンは周囲構造体内の適切な場所に設置され、周囲構造体の至る所で、例えば入口から周囲構造体内のあらゆる見込まれる行先まで、来場者を継続的に案内することができる。具体的には、このようなビーコンは、特に周囲構造体の混み合う領域、例えば出入口、エレベータのロビー内、およびエスカレータ、動く歩道や斜道に設置されてもよい。
【００１８】
通常は、本発明はエレベータシステムでのみならず、エスカレータ、動く歩道、動く斜道などのあらゆる種類の乗客輸送システムで稼働することができる。いずれにせよ、本発明の利点は、周囲構造体に配置された１つまたは複数のエレベータシステムと接続すると特に明らかになる。
【００１９】
好適には、スマートウォッチ、すなわちスマートウォッチの位置検出手段は、GPSなど静止衛星からの信号の受信部をも含む。このような手段によって、GPSナビゲーションを使用可能な周囲構造体内で用いることができる。さらに、例えばGPSのない周囲構造体内でのナビゲーション手順は、GPSに基づく周囲構造体外でのナビゲーション手順と連動してもよい。このように接続した結合ナビゲーション手順を用いて、周囲構造体の外にある場所から周囲構造体内にある所定の行先に利用者を案内することができる。このようにして、位置検出手段は周囲構造体の境界でGPS通信から上述のような近距離通信に切り替えてもよい。
【００２０】
発明の好適な実施例において、スマートウォッチのナビゲーションシステムの位置検出手段は加速度計を含む。ジャイロメータおよび／または気圧計も、一定の周囲構造体内、特にGPSデータを受信することができない周囲構造体内で位置データを提供するに適する手段である。したがって、スマートウォッチの位置検出システムは、GPSまたは電話通信にアクセスすることなく位置データを提供することができるようにしてもよい。
【００２１】
発明の好適な実施例において、スマートウォッチは電話通信網への送信部を含み、位置検出手段は電話通信網のアンテナ圏内でスマートウォッチの位置から位置検出をする手段を含む。このような手段を介して、スマートウォッチは電話通信網からの位置情報を用いて、自身の位置を検出するかまたは更新してもよい。
【００２２】
発明の好適な実施例において、ナビゲーションシステムは演算部を含み、出力手段を介して行先に対する距離および／または方向を利用者に示す。この実施例によれば、利用者は向かうべき方向および／または自身の所望する行先に到着すべく示された方向に進むべき距離を取得するので、周囲構造体内における利用者のためのナビゲーションシステムの管理がしやすくなる。
【００２３】
本発明はさらに、少なくとも１基のエレベータを有するエレベータシステムと、エレベータに対する行先呼び制御部を有するエレベータ制御部と、行先操作パネルおよび周囲構造体のエレベータシステムの案内手段として働く上述した明細書の記載に係る少なくとも１つのスマートウォッチとを含む周囲構造体のエレベータおよび案内システムに関する。本エレベータおよび案内システムの特徴および利点に関しては、本発明に係るスマートウォッチに関連して述べられた特徴および利点が当てはまる。
【００２４】
好適には、エレベータシステムは、スマートウォッチの個別のIDに基づいて、スマートウォッチの出力手段を介して表示される利用者個別の行先データまたは経路データの記憶部を含む。したがって、スマートウォッチは、エレベータシステムによって使用され、個々の関連する行先データを利用者に示す。これによって、自身に関連性のある行先のみが利用者に関わるスマートウォッチの出力手段上に表示されるため、利用者は極めて短時間かつ簡単な手法で所望の行先を知ることができる。ゆえに利用者は、利用者自身に関係のない多種多様な行先の中から選択する必要がなくなる。したがって、周囲構造体内での行先の選択が本質的に容易になる。
【００２５】
好適には、このような記憶部はスマートウォッチの内部に設置され、利用者個々の行先データの分散型管理をスマートウォッチで行なえるようにする。このような場合における行先データの利用可能性は、エレベータシステムの作動状態には左右されない。そのため、エレベータシステムが少なくとも部分的に運休している場合でも、スマートウォッチの案内機能を利用することができる。
【００２６】
発明の好適な実施例において、エレベータおよび案内システムは、周囲構造体内に配置されているビーコンを含む。ビーコンは、スマートウォッチと通信する例えばBluetooth（登録商標）などの近距離無線通信システムを含む。これらのビーコンはさらに、エレベータ制御部とスマートウォッチの間における行先データの交換に用いられ、スマートウォッチによって行先呼びを発するとともに、スマートウォッチの出力手段によって割当てエレベータを示すことができる。さらに、ビーコンはスマートウォッチのナビゲーションシステムの位置データの提供または更新に用いられる。したがって、この実施例ではエレベータ制御部とスマートウォッチの間におけるデータの送信が最適化され、行先操作パネルおよびナビゲーション案内などのスマートウォッチの機能が最適化され得る。
【００２７】
好適には、ビーコンは位置データをスマートウォッチに送り、そのナビゲーションシステムの現在位置データを更新する。ナビゲーションシステムの位置検出手段は、例えば内蔵のジャイロメータ、加速度計および／または気圧計に基づいていてもよく、これらのコンポーネントは周囲構造体内でのスマートウォッチの大まかな位置データを提供するのみでも構わないことを意味する。周囲構造体内の所定の位置に配置されたビーコンと通信することにより、このような位置データを更新して、位置検出の精度を本質的に向上させてもよい。
【００２８】
同様に、ビーコンは、好適にはエレベータシステムに接続され、行先呼びデータを送信するように構成される。これによって、スマートウォッチは行先呼びをこれら特定のビーコンを介してエレベータ制御部に送信する。
【００２９】
全般的に、スマートウォッチとエレベータシステムにあるエレベータ制御部の間における通信は、好適にはエレベータ制御部によってLANまたはWLANを介してアクセスされるインターネットサーバを介して提供されてもよい。スマートウォッチは、好適にはインターネットサーバと通信するWLAN送信部および／または電話通信モジュールを含む。インターネットサーバによる通信は、例えばインターネットサーバを介して行先管理部および／またはナビゲーションシステムに関する所定のアプリケーションを送信し、またはスマートウォッチの作動システムで起動するなどの明白な利点を有する。他方、このようなインターネットサーバにより、スマートウォッチとエレベータシステムのエレベータ制御部の間におけるデータ交換を調整してもよい。もちろん、この代わりに近距離通信を用いてもよく、例えば、周囲構造体内に設置されたビーコンおよびスマートウォッチの近距離無線送信部を介してもよい。
【００３０】
本発明は、少なくとも１のエレベータおよび案内システムを含む周囲構造体内で来場者を案内する方法であって、本方法では、エレベータおよび案内システムの行先操作パネルとして働くスマートウォッチの行先管理部から行先データをスマートウォッチのナビゲーションシステムに入力し、ナビゲーションシステムは行先データおよび内蔵の位置検出手段を用いて来場者を自身の行先階または自身の目的地に案内する。これによって、周囲構造体内にあるスマートウォッチのナビゲーションシステムの現在位置データに基づいて、行先呼びを自動的に促し、または発することもできる。本方法の特徴および利点は、発明に係るスマートウォッチと関連してすでに述べられている。エレベータおよび案内システムを組み合わせて一体化されたシステムとして具現化してもよい。別の実施例では、エレベータシステムおよびガイドシステムを、互いに独立して周囲構造体内で作動する別個のシステムとして実現してもよい。これによって、スマートウォッチ内の行先管理部およびナビゲーションシステムの関連によってのみ共通の機能を実現し得る。
【００３１】
本発明は、具体的にはスマートウォッチに関連するものでよいが、本発明をスマートウォッチではなくスマートフォンに適用しても構わない。
【００３２】
好適には、実行中の呼びの行先データは、行先管理部からスマートウォッチのナビゲーションシステムに転送され、スマートウォッチの出力手段を介してナビゲーション案内データを出力できるようになっている。このような手段を介して、スマートウォッチのナビゲーションシステムは、スマートウォッチの利用者に対してその出力手段を介してあらゆる必要なナビゲーション案内データを示しまたは表示する。これによって利用者は、割当てエレベータおよび場合によっては行先階における個々の行先をも見つけることができる。
【００３３】
発明の好適な実施例において、スマートウォッチはその出力手段を介して周囲構造体の選択可能な行先の目録を表示する。この選択は、スマートウォッチの入力手段を介して行われる。このような手段、例えば利用者のスマートウォッチのタッチスクリーンによって、周囲構造体におけるエレベータおよび案内システムの利用者は、表示部などの出力手段上に示される周囲構造体内にある様々な任意の行先の中から容易に選ぶことができる。この選択は、スマートウォッチ上の対応する（仮想または実在の）押しボタンを押すことによって容易になし得る。押しボタンは、例えばスマートウォッチのタッチスクリーン上に示される。
【００３４】
当業者には明白なことであるが、上述の実施例は任意に相互に組み合わせることも可能である。さらに、特許請求の範囲に記載されている単一の特徴は、単一の装置としてまたは複数の装置として提供され、これによって、当該特徴は実現可能である限り特許請求の範囲の他の特徴と組み合わせることができる。したがって、エレベータシステムの行先呼び制御部は、エレベータ制御部に組み込むことができる。さらに、エレベータ制御部は、周囲構造体のコントロールサーバに組み込んで、コントロールサーバは、周囲構造体に設置されたエレベータの制御と、エスカレータシステムがある場合にはその制御と、ナビゲーションをも統合的に行うことができる。もちろん、周囲構造体は、周囲構造体内の様々な箇所におけるいくつかのエレベータ群、すなわち複数の群を有していてもよい。その場合スマートウォッチは、エスカレータ、エレベータ群または動く斜道などのいくつかの異なる輸送手段を介して、利用者を周囲構造体の入口から自身の最終目的地に導くことができる。
【図面の簡単な説明】
【００３５】
本発明について、添付の図面を参照して以下に述べる。
【図１】発明に係るスマートウォッチの斜視図を示す。
【図２】スマートウォッチとエレベータ群のエレベータ制御部の間で位置データおよび行先データを送信するビーコンを有する周囲構造体の地図を示す図である。
【図３】現在位置からエレベータ群の割当てエレベータまでの経路を利用者に示す、図１のスマートウォッチのタッチスクリーンの拡大図である。
【図４】少なくとも１つのスマートウォッチを含む周囲構造体のエレベータおよび案内システムの概略図である。
【好適な実施例の説明】
【００３６】
図１に示す発明に係るスマートウォッチ10は、スマートウォッチ本体14を利用者の手首に固定するリストバンド12を含む。リストバンド12の留め具は図面に示されていない。スマートウォッチ本体14は、表示部18、および例えば仮想上の押しボタンを示し利用者によって押される入力手段20として働く大型タッチスクリーン16を含む。表示部はさらに、領域17では行先呼びに対して割り当てられたエレベータを、領域19では行先呼びによる行先階を示すように構成されている（図３参照）。スマートウォッチはさらに、スピーカ13およびマイクロフォン15を含む。
【００３７】
図４に関連して、スマートウォッチ10は、周囲構造体50（図２）内にあるエレベータおよび案内システム40に属している。スマートウォッチ10はさらに、タッチスクリーンに接続されたスマートウォッチ制御部22、および近距離送信部24を含む。スマートウォッチ10はさらにジャイロメータ26および加速度計28を含み、ジャイロメータ26および加速度計28はスマートウォッチ10の任意の機構である。スマートウォッチ制御部22はさらに、電話網通信モジュール30と接続されていてもよい。スマートウォッチ制御部22は、行先管理部32およびナビゲーションシステム34と接続されている。行先管理部32とナビゲーションシステム34は通信線36を介して場合によっては直接的に接続され、データを交換する。行先管理部32およびナビゲーションシステム34は、スマートウォッチ制御部22内で一体化していてもよい。あるいは、エレベータ制御部22を介してデータ交換を行い、行先管理部32とナビゲーションシステム34の間の直接的な接続36が必ずしも必要とならないようにしてもよい。
【００３８】
スマートウォッチの近距離送信部24は、周囲構造体50（図２）に配置されているビーコン38a〜38dと通信することができる。周囲構造体は、ビルディング、一群のビルディング、モール、鉄道駅、空港などであり得る。ビーコン38a〜38dは近距離下で作動する無線送信器であり、例えばBluetooth（登録商標）を用いる。これらのビーコン38a〜38dは、エレベータ制御部44およびナビゲーション制御部46を含むエレベータおよび案内主制御部42に接続される。これらのコンポーネント44、46は、周囲構造体のエレベータおよび案内制御部42内で一体化していてもよく、または、好ましくは周囲構造体内にあるエレベータおよび案内システム40内で別々のモジュールもしくは装置として配置されてもよい。エレベータおよび案内制御部42はさらに、６台のエレベータ48a〜48fを有するエレベータ群46と接続される。エレベータおよび案内システムのうち一部分は、例えばインターネットサーバのように、周囲構造体の外に配置されてもよい。
【００３９】
図２は、典型的な周囲構造体50、すなわち階床52ないし56およびエレベータロビー58を有するビルディングの一部分を示す。ビーコン38a〜38dは所定の位置、例えば、階床52ないし56内の等間隔位置に、またエレベータロビー58に配置される。
【００４０】
システムは以下のように作動する。すなわち、スマートウォッチ10を持っている利用者がビルディング50に入ると、スマートウォッチ10の近距離送信部24は、ビルディング50内にあるエレベータおよび案内制御部42のビーコン38a〜38iと通信する。この場合では、スマートウォッチ10内でプログラム（アプリ）が起動し、すなわち立ち上がり、これによってスマートウォッチはビルディング50内にあるエレベータおよび案内システム40の一部となる。スマートウォッチ制御部22で起動したアプリは利用者に対し、タッチスクリーン16を介して表示される行先の一覧から行先の入力、または事前に選択された行先の確認を促す。事前に選択された行先または表示された行先の一覧から所定の行先を選択する際、対応する行先呼びは、スマートウォッチ10の近距離送信部24を介して通信する行先管理部32によって、エレベータおよび案内システム40にあるエレベータおよび案内制御部42のビーコン38a〜38dのうち１つに発せられる。エレベータおよび案内制御部42は、この行先呼びをエレベータ制御部44に送信し、制御部44はエレベータ48a〜48fのうち１基を割り当てる。さらに、エレベータ制御部44はビーコン38a〜38dのうち１つを介してスマートウォッチ10の近距離送信部24にエレベータの割当てを送信する。これによって、表示部18は利用者に割当てエレベータを、例えば、タッチスクリーン16の左側の表示領域17にあるエレベータＢのように示し、表示部18の右側の表示領域19に行先階を示す。さらに、このような行先データはナビゲーションシステム34に入力される。ナビゲーションシステム34は、ビーコン38a〜38dからスマートウォッチの近距離送信部24を介して周囲構造体50内における利用者の実際の位置60を受信する位置検出手段を含む。さらに、ナビゲーションシステム34は、記憶部内にある、またはビーコン38a〜38dと近距離送信部24の間における近距離送信もしくは電話通信モジュール30を介して得られた前述の周囲構造体の地図データを含んでいてもよい。このような地図データおよび行先呼びの行先データを介して、スマートウォッチはスマートウォッチ表示部18上にスマートウォッチの実際の位置60を割当てエレベータＢの位置62とともに表示する（図２および図３を参照）ことができる。ナビゲーションシステム34はさらに、実際の位置、周囲構造体50を通り抜けて割当てエレベータへ到達する経路および割当てエレベータ48bの位置62とともに、周囲構造体のナビゲーション地図21も表示部18上に出力する。
【００４１】
このようなナビゲーションを目指し、ナビゲーションシステム34は自らの位置検出手段、例えばジャイロメータ26や加速度計28のような内部コンポーネント、気圧計および／またはビルディング50内のさまざまな場所に置かれている様々なビーコン38a〜38dと通信するスマートウォッチ制御部22の近距離送信部24を用いる。ビーコン38a〜38iは、近距離送信部24を介して位置データをスマートウォッチ10に提供し、または内部コンポーネント26、28を用いてナビゲーションシステム34の位置検出手段によって算出されている位置データを更新するように構成されている。したがって、ビーコンによって通信された位置データを用いてナビゲーションシステム34の位置データを生成してもよく、または単に位置データを更新してもよい。
【００４２】
当初の位置60から割当てエレベータ48bの位置62に向かう過程で、利用者はエレベータ群48a〜48fのロビー58に設置されているビーコン38dに到着するまでに、ビーコン38a、38b、38cを通過する。この経路は、スマートウォッチ10のタッチスクリーン16上のナビゲーション領域21内に、タッチスクリーン左側領域17上の割当てエレベータＢおよびタッチスクリーン右側領域19上の行先階（４階）とともに示される。したがって、スマートウォッチ10のタッチスクリーン16は、割当てエレベータ、行先階および利用者の現在位置から割当てエレベータまでの経路を示し、場合によっては行先階におけるエレベータから最終目的地までの道筋も示す。
【００４３】
そのため、周囲構造体の来場者を、周囲構造体の入口から自身が選択し、または事前に選択していた目的地まで円滑に案内することができる。
【００４４】
本発明は、開示された実施例に限定されず、添付の特許請求の範囲の範囲内で変えることができる。
【参照符号の一覧】
【００４５】
10  スマートウォッチ
12  リストバンド
13  スピーカ
14  スマートウォッチ本体
15  マイクロフォン
16  タッチスクリーン
17  割当てエレベータの表示領域
18  タッチスクリーンの表示部分
19  行先階の表示領域
20  タッチスクリーンの押しボタン部
21  タッチスクリーンのナビゲーション出力領域
22  スマートウォッチ制御部
24  近距離送信部
26  ジャイロメータ
28  加速度計
30  電話通信モジュール
32  行先管理部
34  ナビゲーションシステム
36  行先管理部とナビゲーションシステムの間の接続部
38a〜38i  周囲構造体に配置されたビーコン
40  エレベータおよび案内システム
42  エレベータおよび案内制御部
44  エレベータ制御部
46  ナビゲーション制御部
48a〜48f  エレベータ群のエレベータ
50  周囲構造体（ビルディング）
52  第１の階床
54  第２の階床
56  第３の階床
58  エレベータロビー
60  スマートウォッチの実際の位置
62  割当てエレベータの位置
【図１】
0006698853.tif 000002
【図２】
0006698853.tif 000003
【図３】
0006698853.tif 000004
【図４】
0006698853.tif 000005